(57)【要約】    【課題】  冷却ファンのノイズレベルの変化がプロジェクタのユーザに感知されにくいプロジェクタを提供する。    【解決手段】  プロジェクタ１０１の内部温度を検出する温度センサ１７０と、内部温度の上昇を低減するための冷却ファン１５０と、温度センサ１７０で検出された検出結果に基づいて冷却ファン１５０の回転数を制御する制御装置１２１とを備え、  制御装置１２１は、冷却ファン１５０の回転数の変更を、冷却ファン１５０の回転数の変更に伴う冷却ファン１５０のノイズ変化量が１ｄＢ以下となるように、かつ、１０秒以上の時間間隔をもって段階的に行う機能を有することを特徴とするプロジェクタ。【選択図】  図２
2006058804.tif 000002
【特許請求の範囲】
【請求項１】
照明装置と、前記照明装置からの光を画像情報に応じて変調する電気光学変調装置と、前記電気光学変調装置で変調された光を投写する投写光学系とを備えたプロジェクタであって、
前記プロジェクタの内部温度を検出する温度検出装置と、前記内部温度の上昇を低減するための冷却ファンと、前記温度検出装置で検出された検出結果に基づいて前記冷却ファンの回転数を制御する制御装置とをさらに備え、
前記制御装置は、前記冷却ファンの回転数の変更を、前記冷却ファンの回転数の変更に伴う前記冷却ファンのノイズ変化量が１ｄＢ以下となるように、かつ、１０秒以上の時間間隔をもって段階的に行う機能を有することを特徴とするプロジェクタ。
【請求項２】
請求項１に記載のプロジェクタにおいて、
前記制御装置は、前記冷却ファンの回転数の変更を、２０秒以上の時間間隔をもって行う機能を有することを特徴とするプロジェクタ。
【請求項３】
請求項１又は２に記載のプロジェクタにおいて、
前記制御装置は、前記冷却ファンの回転数の変更を、前記冷却ファンの回転数の変更に伴う前記冷却ファンのノイズ変化量が０．５ｄＢ以下となるように行う機能を有することを特徴とするプロジェクタ。
【請求項４】
請求項１〜３のいずれかに記載のプロジェクタにおいて、
前記制御装置は、前記冷却ファンの回転数の変更を、前記冷却ファンの回転数の変更に伴う前記冷却ファンのノイズ変化量が０．１ｄＢ以上となるように行う機能を有することを特徴とするプロジェクタ。
【請求項５】
請求項１〜４のいずれかに記載のプロジェクタにおいて、
前記冷却ファンの回転数又は前記冷却ファンの駆動電圧と前記冷却ファンのノイズとの関係を記述する情報を記憶する記憶装置をさらに備えたことを特徴とするプロジェクタ。
【請求項６】
請求項１〜５のいずれかに記載のプロジェクタにおいて、
前記冷却ファンのノイズレベルを検出するノイズレベル検出装置をさらに備えたことを特徴とするプロジェクタ。
【発明の詳細な説明】
【技術分野】
【０００１】
本発明はプロジェクタに関する。 
【背景技術】
【０００２】
図１０は、従来のプロジェクタの概略構成を示す図である。図１１は、従来のプロジェクタにおける温度制御を説明するための図である。図１１（Ａ）は従来のプロジェクタを用いた場合の制御温度を示す図であり、図１１（Ｂ）は比較例のプロジェクタを用いた場合の制御温度を示す図である。
【０００３】
この従来のプロジェクタ８０１は、図１０に示すように、光源装置８１２を含む照明装置と、照明装置からの光を画像情報に応じて変調する液晶装置８１４と、液晶装置８１４で変調された光を投写する投写光学系８１６とを備えるとともに、プロジェクタ本体部８１０の内部温度（光源装置８１２及び液晶装置８１４の温度）を検出する温度センサ８７０，８７２と、プロジェクタ本体部８１０の内部温度の上昇を低減するための冷却ファン８５０，８５２と、温度センサ８７０，８７２で検出された検出結果に基づいて冷却ファン８５０，８５２の回転数を制御する制御装置８２０とをさらに備えている。
【０００４】
制御装置８２０は、冷却ファン８５０，８５２の回転数を決定するための制御出力を、予め設定された目標温度とプロジェクタ本体部８１０の内部温度との偏差に対する比例積分動作又は比例積分微分動作により求めることとしている。
このため、従来のプロジェクタ８０１によれば、図１１に示すように、冷却ファン８５０，８５２の回転数を安定に制御してプロジェクタ本体部８１０の内部温度を適切に制御することができる（例えば、特許文献１参照。）。
【０００５】
図１２は、従来の他のプロジェクタにおける温度制御を説明するための図である。図１２（ａ）は従来の他のプロジェクタにおける温度制御動作を説明するための図であり、図１２（ｂ）は従来の他のプロジェクタにおける制御温度を説明するための図である。図１２（ｂ）中、Ａは従来の他のプロジェクタを用いた場合の制御温度を示し、Ｂは他の比較例のプロジェクタを用いた場合の制御温度を示す。
【０００６】
この従来の他のプロジェクタ９０１（図示せず。）においては、図１２（ａ）に示すように、制御装置９２０（図示せず。）は、冷却ファン９５０（図示せず。）の回転数を、液晶装置９１４（図示せず。）の温度上昇に応じて連続的に変化させて制御するようにしている。
このため、従来の他のプロジェクタ９０１は、冷却ファン９５０の回転数を液晶装置９１４の温度上昇に応じて連続的に変化させて制御するようにしているため、低騒音で、かつ、図１２（ｂ）に示すように高冷却効率のプロジェクタとなっている（例えば、特許文献２参照。）。
【０００７】
【特許文献１】特開２００１−２３５７９７号公報（図１〜図４）
【特許文献２】特開２００３−２９５３２２号公報（図１〜図１２）
【発明の開示】
【発明が解決しようとする課題】
【０００８】
しかしながら、冷却ファンの回転数を比例積分動作又は比例積分微分動作の手法を用いて制御したり、冷却ファンの回転数を液晶装置の温度上昇に応じて連続的に変化させて制御したりしても、プロジェクタのユーザは、冷却ファンのノイズレベルの変化を感知してしまうことがある。プロジェクタを静かな環境で使用しているとき（例えば、映画の静かなシーンを観賞しているとき）に、冷却ファンのノイズレベルの変化（例えば、冷却ファンのノイズが急に大きくなったり小さくなったりするような変化）が感知されると、プロジェクタのユーザが興ざめして、雰囲気が壊されてしまうという問題があった。
【０００９】
そこで、本発明は、このような問題を解決するためになされたもので、冷却ファンのノイズレベルの変化がプロジェクタのユーザに感知されにくいプロジェクタを提供することを目的とする。
【課題を解決するための手段】
【００１０】
本発明の発明者は、上記目的を達成するため、冷却ファンのノイズレベルの変化がユーザに感知されにくくするにはどうすればよいかを徹底的に調査した。その結果、冷却ファンの回転数の変更を、冷却ファンの回転数の変更に伴う冷却ファンのノイズ変化量が所定値以下となるように、かつ、所定の時間間隔をもって段階的に行うことにより、上記目的が達成されることを見出した。
【００１１】
すなわち、本発明のプロジェクタは、照明装置と、前記照明装置からの光を画像情報に応じて変調する電気光学変調装置と、前記電気光学変調装置で変調された光を投写する投写光学系とを備えたプロジェクタであって、前記プロジェクタの内部温度を検出する温度検出装置と、前記内部温度の上昇を低減するための冷却ファンと、前記温度検出装置で検出された検出結果に基づいて前記冷却ファンの回転数を制御する制御装置とをさらに備え、前記制御装置は、前記冷却ファンの回転数の変更を、前記冷却ファンの回転数の変更に伴う前記冷却ファンのノイズ変化量が１ｄＢ以下となるように、かつ、１０秒以上の時間間隔をもって段階的に行う機能を有することを特徴とする。
【００１２】
本発明の発明者による解析の結果、まず、冷却ファンのノイズ変化量が１ｄＢ以下の場合には、冷却ファンのノイズレベルの変化がプロジェクタのユーザに感知されにくくなることがわかった。しかしながら、このような場合であっても、ノイズレベルの変化が短い時間間隔で続けて起こった場合には、冷却ファンのノイズ変化量がプロジェクタのユーザの意識のなかで累積してしまい、冷却ファンのノイズレベルの変化がプロジェクタのユーザに感知されてしまうことがあることがわかった。
【００１３】
これに対して、本発明のプロジェクタによれば、冷却ファンの回転数の変更を、冷却ファンの回転数の変更に伴う冷却ファンのノイズ変化量が１ｄＢ以下となるよう、かつ、１０秒以上の時間間隔をもって段階的に行うことができるようになる。このため、一旦ノイズレベルの変化が起こってから次にノイズレベルの変化が起こるまでの時間が少なくとも１０秒以上は確保されることになるため、冷却ファンのノイズ変化量がプロジェクタのユーザの意識のなかで累積してしまうことが抑制される。その結果、本発明のプロジェクタによれば、冷却ファンのノイズレベルの変化がプロジェクタのユーザに感知されてしまうのを効果的に抑制することができるようになる。
【００１４】
本発明のプロジェクタにおいては、前記制御装置は、前記冷却ファンの回転数の変更を、２０秒以上の時間間隔をもって行う機能を有することが好ましい。
【００１５】
このように構成することにより、一旦ノイズレベルの変化が起こってから次にノイズレベルの変化が起こるまでの時間が少なくとも２０秒以上は確保されることになるため、冷却ファンのノイズ変化量がプロジェクタのユーザの意識のなかで累積してしまうことがさらに抑制される。その結果、本発明のプロジェクタによれば、冷却ファンのノイズレベルの変化がプロジェクタのユーザに感知されてしまうのをさらに効果的に抑制することができるようになる。
【００１６】
この観点から言えば、前記制御装置は、前記冷却ファンの回転数の変更を、４０秒以上の時間間隔をもって行う機能を有することがより好ましく、前記冷却ファンの回転数の変更を、６０秒以上の時間間隔をもって行う機能を有することがさらに好ましい。
【００１７】
本発明のプロジェクタにおいては、前記制御装置は、前記冷却ファンの回転数の変更を、前記冷却ファンの回転数の変更に伴う前記冷却ファンのノイズ変化量が０．５ｄＢ以下となるように行う機能を有することが好ましい。
【００１８】
このように構成することにより、１回当たりのノイズレベルの変化が０．５ｄＢ以下に押さえられるため、冷却ファンのノイズ変化量がプロジェクタのユーザの意識のなかで累積してしまうことがさらに抑制される。その結果、本発明のプロジェクタによれば、冷却ファンのノイズレベルの変化がプロジェクタのユーザに感知されてしまうのをさらに効果的に抑制することができるようになる。
【００１９】
本発明のプロジェクタにおいては、前記制御装置は、前記冷却ファンの回転数の変更を、前記冷却ファンの回転数の変更に伴う前記冷却ファンのノイズ変化量が０．１ｄＢ以上となるように行う機能を有することが好ましい。
【００２０】
上記したように、１回当たりのノイズレベルの変化が小さければ小さいほど、冷却ファンのノイズレベルの変化がプロジェクタのユーザに感知されてしまうのを抑制することができる。一方、１回当たりのノイズレベルの変化が小さければ小さいほど、冷却ファンの回転数を所望の回転数に変化させるまでの時間が長くなってしまい、冷却効率の低下を招くことがある。このため、本発明のプロジェクタにおいては、冷却ファンの回転数の変更に伴う冷却ファンのノイズ変化量が０．１ｄＢ以上となるように冷却ファンの回転数の変更を行うようにするのが好ましい。
【００２１】
本発明のプロジェクタにおいては、前記冷却ファンの回転数又は前記冷却ファンの駆動電圧と前記冷却ファンのノイズとの関係を記述する情報を記憶する記憶装置をさらに備えることが好ましい。
【００２２】
このように構成することにより、冷却ファンの回転数又は冷却ファンの駆動電圧を変更する際には、上記した記憶装置に記憶された情報を適宜参照することができるようになるため、冷却ファンの回転数又は冷却ファンの駆動電圧の変更に伴う冷却ファンのノイズ変化量が所定値（例えば、１ｄＢ）以下となるように、冷却ファンの回転数又は冷却ファンの駆動電圧を制御することができるようになる。
【００２３】
本発明のプロジェクタにおいては、前記冷却ファンのノイズレベルを検出するノイズレベル検出装置をさらに備えることも好ましい。
【００２４】
このように構成することにより、冷却ファンのノイズレベルを常に検出することができるようになるため、冷却ファンの回転数の変更に伴う冷却ファンのノイズ変化量が所定値（例えば、１ｄＢ）以下となるように、冷却ファンの回転数を制御することができるようになる。
【発明を実施するための最良の形態】
【００２５】
以下、本発明のプロジェクタについて、図に示す実施の形態に基づいて説明する。
【００２６】
〔実施形態１〕
図１は、実施形態１に係るプロジェクタの概略構成を示す図である。実施形態１に係るプロジェクタ１０１は、図１に示すように、プロジェクタ本体部１１０と、制御装置１２１と、冷却ファン１５０と、ドライバ１４０と、Ｄ／Ａ変換器１３０と、温度検出装置としての温度センサ１７０と、Ａ／Ｄ変換器１６０とを備えている。
【００２７】
プロジェクタ本体部１１０は、電気光学変調装置としての液晶装置１１４と、光源装置１１２を含み液晶装置１１４を照明するための照明装置と、液晶装置１１４から射出された光をスクリーンＳＣＲ上に投写する投写光学系１１６とを備えている。また、液晶装置１１４に供給される画像信号を出力するための画像処理装置（図示せず。）を備えている。
【００２８】
制御装置１２１は、ＣＰＵやＲＯＭ、ＲＡＭ等のメモリを含むコンピュータで構成され
ており、ＲＯＭ内に格納された種々のプログラムに従って、プロジェクタ本体部１１０の動作や冷却ファン１５０の動作を制御する。
【００２９】
温度センサ１７０は、プロジェクタ本体部１１０内に設けられた光源装置１１２の温度を検出する。温度センサ１７０からの出力はＡ／Ｄ変換器１６０を介して制御装置１２１に入力されて、光源装置１１２の温度が検出される。温度センサ１７０としては、サーミスタ等の感温素子を利用したものが用いられる。感温素子は、光源装置１１２の温度が適切に検出可能な位置、例えば、光源装置１１２の一部を構成するリフレクタの裏面上に設けられる。
【００３０】
制御装置１２１は、適当な時間間隔で温度センサ１７０からの温度検出結果を取得し、この結果に応じた制御出力をＤ／Ａ変換器１３０を介してドライバ１４０に出力して、冷却ファン１５０の回転数を制御する。冷却ファン１５０は、例えば、光源装置１１２の周辺部に設けられている。光源装置１１２は冷却ファン１５０によって発生する気流によって冷却される。
【００３１】
上記したように、実施形態１に係るプロジェクタ１０１は、光源装置１１２を含む照明装置と、照明装置からの光を画像情報に応じて変調する電気光学変調装置としての液晶装置１１４と、液晶装置１１４で変調された光を投写する投写光学系１１６とを備えたプロジェクタであって、プロジェクタの内部温度を検出する温度検出装置としての温度センサ１７０と、プロジェクタの内部温度（この場合、光源装置１１２）の上昇を低減するための冷却ファン１５０と、温度センサ１７０で検出された検出結果に基づいて冷却ファン１５０の回転数を制御する制御装置１２１とを備えている。
【００３２】
図２は、実施形態１に係るプロジェクタにおける制御装置の機能を説明するための図である。実施形態１に係るプロジェクタ１０１は、制御装置１２１が冷却ファン１５０を制御する機能に特徴を有している。すなわち、実施形態１に係るプロジェクタ１０１においては、図２に示すように、制御装置１２１は、冷却ファン１５０の回転数の変更を、冷却ファン１５０の回転数の変更に伴う冷却ファン１５０のノイズ変化量が１ｄＢ以下となるように、かつ、１０秒以上の時間間隔をもって段階的に行う機能を有している。
【００３３】
このため、実施形態１に係るプロジェクタ１０１によれば、冷却ファン１５０の回転数の変更を、冷却ファン１５０の回転数の変更に伴う冷却ファン１５０のノイズ変化量が１ｄＢ以下となるよう、かつ、１０秒以上の時間間隔をもって段階的に行うことができるようになる。このため、１回当たりの冷却ファン１５０のノイズレベルの変化がプロジェクタのユーザに感知されなくなるのに加えて、一旦ノイズレベルの変化が起こってから次にノイズレベルの変化が起こるまでの時間が少なくとも１０秒以上は確保されることになるため、冷却ファン１５０のノイズ変化量がプロジェクタのユーザの意識のなかで累積してしまうことも抑制される。その結果、実施形態１に係るプロジェクタ１０１によれば、冷却ファン１５０のノイズレベルの変化がプロジェクタのユーザに感知されてしまうのを効果的に抑制することができるようになる。
【００３４】
図３は、実施形態１に係るプロジェクタにおける冷却ファンの駆動電圧と冷却ファンのノイズとの関係の一例を示す図である。実施形態１に係るプロジェクタ１０１においては、図３に示すように、冷却ファン１５０の回転数（冷却ファン１５０の駆動電圧と正の相関関係を有する。）と冷却ファン１５０のノイズとの間に所定の関係が存在する。すなわち、実施形態１に係るプロジェクタ１０１においては、冷却ファン１５０の回転数が大きくなれば大きくなるほど、冷却ファン１５０のノイズが大きくなるのである。このため、実施形態１に係るプロジェクタ１０１においては、この関係を記述する情報を、テーブル又は関係式として、制御装置１２１の中に配置されたＲＯＭ（図示せず。）に記憶させている。
【００３５】
このため、実施形態１に係るプロジェクタ１０１によれば、冷却ファン１５０の回転数又は冷却ファン１５０の駆動電圧を変更する際には、上記した記憶装置に記憶された情報を適宜参照することができるようになるため、冷却ファン１５０の回転数又は冷却ファン１５０の駆動電圧の変更に伴う冷却ファン１５０のノイズ変化量が所定値（例えば、１ｄＢ）以下となるように、冷却ファン１５０の回転数又は冷却ファン１５０の駆動電圧を制御することができる。
【００３６】
図４は、実施形態１に係るプロジェクタにおける制御装置の動作を説明するためのフローチャートである。実施形態１に係るプロジェクタ１０１においては、図４に示すように、温度センサ１７０により検出された検出温度としきい値との比較を行い、検出温度がしきい値よりも高い場合には、冷却ファン１５０のノイズ変化量が１ｄＢ以下となるような範囲で駆動電圧をΔＶだけ高くする。一方、検出温度がしきい値よりも低い場合には、冷却ファン１５０のノイズ変化量が１ｄＢ以下となるような範囲で駆動電圧をΔＶだけ低くする。そして、この手順をタイマーを用いて１０秒以上の間隔で行うこととしている。
【００３７】
〔実施形態２〕
図５は、実施形態２に係るプロジェクタの概略構成を示す図である。図６は、実施形態２に係るプロジェクタにおける制御装置の機能を説明するための図である。実施形態２に係るプロジェクタ１０２は、制御装置が冷却ファン１５０を制御する方法が実施形態１に係るプロジェクタ１０１の場合とは異なる。すなわち、実施形態２に係るプロジェクタ１０２は、制御装置１２２が、ＰＷＭ（パルス幅変調）制御方法によって得られる出力を用いて冷却ファン１５０を制御するようにしている。制御装置１２２からのＰＷＭ出力は積分器１３１によりアナログ化され、ドライバ１４０に供給される。従って、冷却ファン１５０のノイズも、図６に示すように、ＰＷＭ制御方法によって得られる波形に対応して変化するようになる。
【００３８】
このように、実施形態２に係るプロジェクタ１０２においては、制御装置１２２が冷却ファン１５０を制御する方法が実施形態１に係るプロジェクタ１０１の場合とは異なるが、実施形態１に係るプロジェクタ１０１の場合と同様に、制御装置１２２は、冷却ファン１５０の回転数の変更を、冷却ファン１５０の回転数の変更に伴う冷却ファン１５０のノイズ変化量が１ｄＢ以下となるように、かつ、１０秒以上の時間間隔をもって段階的に行う機能を有している。
【００３９】
このため、実施形態２に係るプロジェクタ１０２によれば、実施形態１に係るプロジェクタ１０１の場合と同様に、冷却ファン１５０の回転数の変更を、冷却ファン１５０の回転数の変更に伴う冷却ファン１５０のノイズ変化量が１ｄＢ以下となるよう、かつ、１０秒以上の時間間隔をもって段階的に行うことができるようになる。このため、１回当たりの冷却ファン１５０のノイズレベルの変化がプロジェクタのユーザに感知されなくなるのに加えて、一旦ノイズレベルの変化が起こってから次にノイズレベルの変化が起こるまでの時間が少なくとも１０秒以上は確保されることになるため、冷却ファン１５０のノイズ変化量がプロジェクタのユーザの意識のなかで累積してしまうことも抑制される。その結果、実施形態２に係るプロジェクタ１０２によれば、冷却ファン１５０のノイズレベルの変化がプロジェクタのユーザに感知されてしまうのを効果的に抑制することができるようになる。
【００４０】
〔実施形態３〕
図７は、実施形態３に係るプロジェクタの概略構成を示す図である。実施形態３に係るプロジェクタ１０３は、冷却ファンが冷却する対象が実施形態１に係るプロジェクタ１０１の場合とは異なる。すなわち、実施形態３に係るプロジェクタ１０３においては、図７に示すように、冷却ファン１５２が液晶装置１１４を冷却するようにしている。
【００４１】
このように、実施形態３に係るプロジェクタ１０３は、冷却ファンが冷却する対象が実施形態１に係るプロジェクタ１０１の場合とは異なるが、実施形態１に係るプロジェクタ１０１の場合と同様に、制御装置１２３は、冷却ファン１５２の回転数の変更を、冷却ファン１５２の回転数の変更に伴う冷却ファン１５２のノイズ変化量が１ｄＢ以下となるように、かつ、１０秒以上の時間間隔をもって段階的に行う機能を有している。
【００４２】
このため、実施形態３に係るプロジェクタ１０３によれば、実施形態１に係るプロジェクタ１０１の場合と同様に、冷却ファン１５２の回転数の変更を、冷却ファン１５２の回転数の変更に伴う冷却ファン１５２のノイズ変化量が１ｄＢ以下となるよう、かつ、１０秒以上の時間間隔をもって段階的に行うことができるようになる。このため、１回当たりの冷却ファン１５２のノイズレベルの変化がプロジェクタのユーザに感知されなくなるのに加えて、一旦ノイズレベルの変化が起こってから次にノイズレベルの変化が起こるまでの時間が少なくとも１０秒以上は確保されることになるため、冷却ファン１５２のノイズ変化量がプロジェクタのユーザの意識のなかで累積してしまうことも抑制される。その結果、実施形態３に係るプロジェクタ１０３によれば、冷却ファン１５２のノイズレベルの変化がプロジェクタのユーザに感知されてしまうのを効果的に抑制することができるようになる。
【００４３】
〔実施形態４〕
図８は、実施形態４に係るプロジェクタの概略構成を示す図である。実施形態４に係るプロジェクタ１０４においては、図８に示すように、冷却ファン１５０，１５２が冷却する対象が光源装置１１２及び液晶装置１１４である。
【００４４】
このように、実施形態４に係るプロジェクタ１０４は、冷却ファンが冷却する対象が実施形態１〜３に係るプロジェクタ１０１，１０２，１０３の場合とは異なり複数存在するが、実施形態１〜３に係るプロジェクタ１０１、１０２，１０３の場合と同様に、制御装置１２４は、冷却ファン１５０，１５２の回転数の変更を、冷却ファン１５０，１５２の回転数の変更に伴う冷却ファン１５０，１５２のノイズ変化量が１ｄＢ以下となるように、かつ、１０秒以上の時間間隔をもって段階的に行う機能を有している。すなわち、冷却ファン１５０，１５２のいずれの回転数の変更をするときも、冷却ファン１５０，１５２のノイズ変化量が１ｄＢ以下となるようにして、かつ、冷却ファン１５０，１５２のいずれかが回転数の変更を行ったら、冷却ファン１５０，１５２のいずれかが次の回転数の変更を行うまで少なくとも１０秒待つように制御を行うのである。
【００４５】
このため、実施形態４に係るプロジェクタ１０４によれば、実施形態１〜３に係るプロジェクタ１０１，１０２，１０３の場合と同様に、冷却ファン１５０，１５２の回転数の変更を、冷却ファン１５０，１５２の回転数の変更に伴う冷却ファン１５０，１５２のノイズ変化量が１ｄＢ以下となるよう、かつ、１０秒以上の時間間隔をもって段階的に行うことができるようになる。このため、１回当たりの冷却ファン１５０，１５２のノイズレベルの変化がプロジェクタのユーザに感知されなくなるのに加えて、一旦ノイズレベルの変化が起こってから次にノイズレベルの変化が起こるまでの時間が少なくとも１０秒以上は確保されることになるため、冷却ファン１５０，１５２のノイズ変化量がプロジェクタのユーザの意識のなかで累積してしまうことも抑制される。その結果、実施形態４に係るプロジェクタ１０４によれば、冷却ファン１５０，１５２のノイズレベルの変化がプロジェクタのユーザに感知されてしまうのを効果的に抑制することができるようになる。
【００４６】
〔実施形態５〕
図９は、実施形態５に係るプロジェクタの概略構成を示す図である。実施形態５に係るプロジェクタ１０５は、図９に示すように、実施形態１に係るプロジェクタ１０１の構成に加えて、冷却ファン１５０のノイズレベルを検出するノイズレベル検出装置１８０をさらに備えている。
【００４７】
このため、実施形態５に係るプロジェクタ１０５によれば、実施形態１に係るプロジェクタ１０１が有する効果に加えて、冷却ファン１５０のノイズレベルを常に検出することができるようになるため、この検出結果に基づいて、冷却ファン１５０の回転数の変更に伴う冷却ファン１５０のノイズ変化量が所定値（例えば、１ｄＢ）以下となるように、冷却ファン１５０の回転数を制御することができるようになる。
【００４８】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００４９】
（１）上記各実施形態のプロジェクタ１０１〜１０５は透過型のプロジェクタであるが、本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。反射型のプロジェクタにこの発明を適用した場合にも、透過型のプロジェクタと同様の効果を得ることができる。 
【００５０】
（２）上記各実施形態のプロジェクタ１０１〜１０５は、電気光学変調装置として液晶装置１１４を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００５１】
（３）上記各実施形態のプロジェクタ１０１〜１０５においては、制御装置１２０〜１２５は、冷却ファン１５０，１５２の回転数の変更を１０秒以上の時間間隔をもって行う機能を有する制御装置であるが、本発明のプロジェクタはこれに限られない。制御装置は、冷却ファン１５０，１５２の回転数の変更を２０秒以上又はそれ以上（例えば、４０秒以上又は６０秒以上）の時間間隔をもって行う機能をさらに有する制御装置であってもよい。
【００５２】
このような場合には、一旦ノイズレベルの変化が起こってから次にノイズレベルの変化が起こるまでの時間が少なくとも２０秒以上又はそれ以上は確保されることになるため、冷却ファンのノイズ変化量がプロジェクタのユーザの意識のなかで累積してしまうことがさらに抑制される。その結果、冷却ファン１５０，１５２のノイズレベルの変化がプロジェクタのユーザに感知されてしまうのをさらに効果的に抑制することができるようになる。
【００５３】
（４）上記各実施形態のプロジェクタ１０１〜１０５においては、制御装置１２０〜１２５は、冷却ファン１５０，１５２の回転数の変更を、冷却ファン１５０，１５２の回転数の変更に伴う冷却ファン１５０，１５２のノイズ変化量が１ｄＢ以下となるように行う機能を有する制御装置であるが、本発明のプロジェクタはこれに限られない。制御装置は、冷却ファン１５０，１５２の回転数の変更に伴う冷却ファン１５０，１５２のノイズ変化量が０．５ｄＢ以下となるように行う機能をさらに有する制御装置であってもよい。
【００５４】
このような場合には、１回当たりのノイズレベルの変化が０．５ｄＢ以下に抑えられるため、冷却ファン１５０，１５２のノイズ変化量がプロジェクタのユーザの意識のなかで累積してしまうことがさらに抑制される。その結果、冷却ファン１５０，１５２のノイズレベルの変化がプロジェクタのユーザに感知されてしまうのをさらに効果的に抑制することができるようになる。
【００５５】
但し、この場合、制御装置は、冷却ファン１５０，１５２の回転数の変更を、冷却ファン１５０，１５２の回転数の変更に伴う冷却ファン１５０，１５２のノイズ変化量が０．１ｄＢ以上となるように行う機能をさらに有することが好ましい。
【００５６】
上記したように、１回当たりのノイズレベルの変化が小さければ小さいほど、冷却ファン１５０，１５２のノイズレベルの変化がプロジェクタのユーザに感知されてしまうのを抑制することができる。一方、１回当たりのノイズレベルの変化が小さければ小さいほど、冷却ファン１５０，１５２の回転数を所望の回転数に変化させるまでの時間が長くなってしまい、冷却効率の低下を招くことがある。このため、本発明のプロジェクタにおいては、冷却ファン１５０，１５２の回転数の変更に伴う冷却ファン１５０，１５２のノイズ変化量が０．１ｄＢ以上となるように冷却ファンの回転数の変更を行うようにするのが好ましいのである。
【図面の簡単な説明】
【００５７】
【図１】実施形態１に係るプロジェクタの概略構成を示す図。
【図２】実施形態１に係るプロジェクタにおける制御装置の機能を説明するための図。
【図３】実施形態１に係るプロジェクタにおける冷却ファンの駆動電圧と冷却ファンのノイズとの関係の一例を示す図。
【図４】実施形態１に係るプロジェクタにおける制御装置の動作を説明するためのフローチャート。
【図５】実施形態２に係るプロジェクタの概略構成を示す図。
【図６】実施形態２に係るプロジェクタにおける制御装置の機能を説明するための図。
【図７】実施形態３に係るプロジェクタの概略構成を示す図。
【図８】実施形態４に係るプロジェクタの概略構成を示す図。
【図９】実施形態５に係るプロジェクタの概略構成を示す図。
【図１０】従来のプロジェクタの概略構成を示す図。
【図１１】従来のプロジェクタにおける温度制御を説明するために示す図。
【図１２】従来の他のプロジェクタにおける温度制御を説明するために示す図。
【符号の説明】
【００５８】
１０１，１０２，１０３，１０４，１０５，８０１…プロジェクタ、１１０，８１０…プロジェクタ本体部、１１２，８１２…光源装置、１１４，８１４…液晶装置、１１６，８１６…投写光学系、１２１，１２２，１２３，１２４，１２５，８２０…制御装置、１３０，１３２…Ｄ／Ａ変換器、１３１…積分器、１４０，１４２…ドライバ、１５０，１５２，８５０，８５２…冷却ファン、１６０，１６２…Ａ／Ｄ変換器、１７０，１７２，８７０，８７２…温度センサ、１８０…ノイズレベル検出装置、ＳＣＲ…スクリーン
【図１】
2006058804.tif 000003
【図２】
2006058804.tif 000004
【図３】
2006058804.tif 000005
【図４】
2006058804.tif 000006
【図５】
2006058804.tif 000007
【図６】
2006058804.tif 000008
【図７】
2006058804.tif 000009
【図８】
2006058804.tif 000010
【図９】
2006058804.tif 000011
【図１０】
2006058804.tif 000012
【図１１】
2006058804.tif 000013
【図１２】
2006058804.tif 000014